(57)【要約】【課題】  プリセット機能を利用して容易にオーディオデータを検索し、再生することができる「オーディオ装置、オーディオデータの検索方法および検索プログラム」を提供する。【解決手段】  オーディオデータの検索方法は、プリセットキーが第１の入力状態で押下されると（Ｓ１０１）、プリセットキーに対応するオーディオデータを記憶部から読み出し（Ｓ１０２）、それらのオーディオデータの先頭部分を順次スキャン再生する（Ｓ１０３）。スキャン再生中にプリセットキーが第２の入力状態に押下されると（Ｓ１０４）、スキャン再生されていたオーディオデータを連続再生する（Ｓ１０５）。【選択図】  図６
2009295231.tif 000002
【特許請求の範囲】
【請求項１】
オーディオデータを再生する機能を備えたオーディオ装置であって、
複数の入力キーと、
オーディオデータを記憶する記憶手段と、
前記複数の入力キーの各々に、前記記憶手段に記憶されたオーディオデータを割り当てるプリセット手段と、
前記複数の入力キーの入力を検出する検出手段と、
前記検出手段により入力キーの入力が検出されたとき、前記プリセット手段に基づき入力キーに対応する複数のオーディオデータを前記記憶手段から読出し、読み出した複数のオーディオデータの先頭部分を順次スキャン再生する再生制御手段と
を有するオーディオ装置。
【請求項２】
前記入力キーは、第１および第２の入力状態を備え、
前記再生制御手段は、前記検出手段が入力キーの第１の入力状態を検出したときに複数のオーディオデータのスキャン再生を行い、第２の入力状態を検出したときにスキャン再生されたオーディオデータを通常の態様で再生する、請求項１に記載のオーディオ装置。
【請求項３】
前記再生制御手段は、スキャン再生中に第２の入力状態が検出されたとき、当該スキャン再生されているオーディオデータを連続再生する、請求項２に記載のオーディオ装置。
【請求項４】
前記プリセット手段は、入力キーにアルバム単位の複数のオーディオデータを割り当てる、請求項１に記載のオーディオ装置。
【請求項５】
オーディオデータを記憶装置に記憶し、記憶装置からオーディオデータを読み出してオーディオデータを再生する機能を備えたオーディオ装置におけるオーディオデータの検索方法であって、
複数の入力キーの各々に、記憶装置に記憶した複数のオーディオデータを割り当てるステップと、
前記複数の入力キーのいずれかの入力を検出するステップと、
入力が検出された入力キーに対応する複数のオーディオデータを前記記憶装置から読出し、読み出した複数のオーディオデータの先頭部分を順次スキャン再生するステップと、
を有する検索方法。
【請求項６】
オーディオデータを記憶装置に記憶し、記憶装置からオーディオデータを読み出してオーディオデータを再生する機能を備えたオーディオ装置が実行するオーディオデータの検索プログラムであって、
複数の入力キーの各々に、記憶装置に記憶したオーディオデータを割り当てるステップと、
前記複数の入力キーのいずれかの入力を検出するステップと、
入力が検出された入力キーに対応する複数のオーディオデータを前記記憶装置から読出し、読み出した複数のオーディオデータの先頭部分を順次スキャン再生するステップと、
を有する検索プログラム。
【発明の詳細な説明】
【技術分野】
【０００１】
本発明は、記憶装置に記憶されたオーディオデータを再生する機能を備えたオーディオ装置に関し、特に、オーディオデータの検索（シーク）方法に関する。
【背景技術】
【０００２】
車載用オーディオ装置は、ＣＤやＤＶＤなどの外部メディアからオーディオデータを記憶装置に格納するリッピング機能を備え、記憶装置から読み出したオーディオデータを繰り返し再生することを可能にしている。さらに、車載用オーディオ装置は、プリセットキーにオーディオデータを関連付け登録しておき、プリセットキーを操作するだけで、オーディオデータの再生や検索を容易にしている。
【０００３】
特許文献１は、プリセットキーの識別情報とプリセットキーに登録されている楽曲データを特定する情報とを含むテーブルデータを記憶し、プリセットキーが操作されたときに、テーブルデータに基づいて楽曲データを再生するデータ再生装置を開示している。
【０００４】
【特許文献１】特開２００３−２０３４６３号  公報
【発明の開示】
【発明が解決しようとする課題】
【０００５】
車載用オーディオ装置のリッピング機能は、オーディオデータを記憶装置に記憶させることはできても、ＣＤＤＢのような楽曲情報データベースを備えなければオーディオデータのプレイリストやアルバムタイトル等の情報を記憶装置に記憶させることはできない。このため、一般的なオーディオ装置にように、ディスプレイにプレイリストやアルバムタイトルなどを表示させながら、オーディオデータを検索するブラウジングを行うことができない。また、車載用オーディオ装置のディスプレイサイズが小さい場合には、たとえプレイリストやアルバムタイトル等の情報を有していても、これらをディスプレイに表示してオーディオデータを検索することができない場合がある。
【０００６】
オーディオ装置のプリセット機能は、オーディオデータの検索を容易にするものであるが、プリセットキーが増加したり、あるいは１つのプリセットキーに複数のオーディオデータが割り当てられると、どのプリセットキーにどのオーディオデータが割り当てられているか分からなくなってしまう。この場合、所望のオーディオデータを検索する場合には、プリセットキーを操作して１つずつオーディオデータを再生しなければならず、オーディオデータを検索するのに多くの時間を必要とし、また煩雑な作業ととなってしまう。
【０００７】
本発明は、このような従来の課題を解決するものであり、プリセット機能を利用して容易にオーディオデータを検索し、再生することができるオーディオ装置、オーディオデータの検索方法および検索プログラムを提供することを目的とする。
【課題を解決するための手段】
【０００８】
本発明に係るオーディオデータを再生する機能を備えたオーディオ装置は、複数の入力キーと、オーディオデータを記憶する記憶手段と、前記複数の入力キーの各々に、前記記憶手段に記憶されたオーディオデータを割り当てるプリセット手段と、前記複数の入力キーの入力を検出する検出手段と、前記検出手段により入力キーの入力が検出されたとき、前記プリセット手段に基づき入力キーに対応する複数のオーディオデータを前記記憶手段から読出し、読み出した複数のオーディオデータの先頭部分を順次スキャン再生する再生制御手段とを有する。
【０００９】
好ましくは、前記入力キーは、第１および第２の入力状態を備え、前記再生制御手段は、前記検出手段が入力キーの第１の入力状態を検出したときに複数のオーディオデータのスキャン再生を行い、第２の入力状態を検出したときにスキャン再生されたオーディオデータを通常の態様で再生する。好ましくは前記再生制御手段は、スキャン再生中に第２の入力状態が検出されたとき、当該スキャン再生されているオーディオデータを連続再生する。前記プリセット手段は、入力キーにアルバム単位の複数のオーディオデータを割り当てることができる。
【００１０】
本発明に係るオーディオデータの検索方法／検索プログラムは、オーディオデータを記憶装置に記憶し、記憶装置からオーディオデータを読み出してオーディオデータを再生する機能を備えたオーディオ装置において実行されるものであり、複数の入力キーの各々に、記憶装置に記憶した複数のオーディオデータを割り当てるステップと、前記複数の入力キーのいずれかの入力を検出するステップと、入力が検出された入力キーに対応する複数のオーディオデータを前記記憶装置から読出し、読み出した複数のオーディオデータの先頭部分を順次スキャン再生するステップとを有する。
【発明の効果】
【００１１】
本発明によれば、プリセットキーに登録した複数のオーディオデータの先頭部分を順次スキャン再生するようにしたので、どのプリセットキーにどのオーディオデータが割り当てられているかを容易に認識することができ、かつオーディオデータの検索を容易に短時間で行うことができる。
【発明を実施するための最良の形態】
【００１２】
以下、本発明の最良の実施の形態について図面を参照して詳細に説明する。ここでは、車載用または家庭用オーディオ装置を例示するが、携帯用またはポータブルのオーディオ装置であってもよい。
【実施例】
【００１３】
図１は、本発明の実施例に係るオーディオ装置１０の構成を示すブロック図である。オーディオ装置１０は、複数の入力キーを備えた入力部２０、外部メディアを接続する外部インターフェース（以下外部Ｉ／Ｆと称す）３０、表示部４０、スピーカーからオーディオデータを出力する音声出力部５０、ハードディスク等の記憶装置６０、プログラムを記憶するプログラムメモリ７０、データを一時記憶するデータメモリ８０、および各部を制御する制御部９０から構成される。
【００１４】
図２は、オーディオ装置本体の正面ユニットの構成例である。同図に示すように、正面ユニットには、入力部２０と表示部４０とが配置されている。入力部２０は、複数のプリセットキー２２と、複数のオーディオ操作キー２４などの入力キーを含んでいる。また、表示部４０は、オーディオデータの再生時間やタイトル等を表示するためのディスプレイを含んでいる。
【００１５】
プリセットキー２２は、通常の押下キーを用いて構成されるが、これ以外にもディスプレイにプリセットキーを表示し、これをタッチすることによりプリセットキーを選択するものであっても良い。また、オーディオ操作キー２４は、オーディオデータの再生ボタン、一時停止ボタン、再生停止ボタン、早送りボタン、後戻りボタン等を含んでいる。
【００１６】
本実施例では、好ましい態様として、プリセットキー２２は、２つの入力状態を有するダブルファンクションスイッチを用いて構成される。図３に、ダブルファンクション機能を有するプリセットキーの構成を示す。
【００１７】
プリセットキー２２は、正面ユニットの操作面１４から突出した押下可能なノブ１００と、ノブ１００の底面に形成された突起１０２に接触されるゴムから構成される弾性部材１１０と、弾性部材１１０の下方に配置されるフィルムスイッチ１２０と、フィルムスイッチ１２０の下方に配置されるタクトスイッチ１３０とを含む。
【００１８】
フィルムスイッチ１２０は、例えば、フィルム状のスペーサを挟んで上下に電極を有し、スペーサ内部には複数の導電性粒子が散在されている。図３(ａ)に示すように、ノブ１００を小さな力Ｆ１で押下すると、その力が弾性部材１１０を介してフィルムスイッチ１２０に伝達され、フィルムスイッチ１２０がオン状態になる。さらに、図３（ｂ）に示すように、ノブ１００を大きな力Ｆ２で押下すると、その力がタクトスイッチ１３０に伝わり、タクトスイッチ１３０がオンの状態になる。
【００１９】
記憶部６０は、外部Ｉ／Ｆ３０に接続された外部メディア（ＣＤ、半導体メモリその他の媒体）から取得したオーディオデータを格納する。オーディオデータは、ファイルまたはフォルダを用いて階層的に記憶してもよく、ファイルまたはフォルダは、アーティスト、アルバム、ジャンルなどに分類することができる。
【００２０】
さらに記憶部６０は、プリセットキーにオーディオデータを登録するためのプリセット情報を含む。プリセット情報は、ユーザ入力によって適宜変更することが可能である。図４は、プリセット情報に含まれるプリセットテーブルを示している。プリセットテーブルは、正面ユニットに配置されたプリセットキー２２と、そこに割り当てられるオーディオデータとの関係を規定している。図４の例は、１から６のプリセットキーの各々に、アルバムＡ、Ｂ、Ｃ・・・Ｅ、Ｆのファイルが割り当てられ、各ファイルには、複数の楽曲（Ａ１、・・・、Ａ−ｎ、・・・、Ｆ−１、・・・、Ｆ−ｎ）が含まれている。なお、プリセットキーに割り当てるオーディオデータは、アルバム単位に限らず、楽曲単位でもよいし、その他のファイルやフォルダを関連つけしてよい。
【００２１】
プログラムメモリ７０は、外部メディアからのオーディオデータを記憶部６０に記憶するリッピングプログラム、オーディオデータを再生するための再生プログラム、プリセットキー２２にオーディオデータを割り当てるプリセットプログラム、プリセットキーに応答してオーディオデータを検索する検索プログラムなどを含んでいる。制御部９０は、これらのプログラムを実行し、各動作を制御する。データメモリ８０は、記憶部６０から読み出したオーディオデータやプリセット情報などを一時的に記憶する。
【００２２】
図５は、オーディオデータの検索プログラムの機能ブロック図である。検索プログラムは、いずれのプリセットキーの入力があったかを検出するプリセットキー検出部２００と、プリセットキーの入力状態を判別する入力状態判別部２１０と、プリセットキーに対応するオーディオデータを読み出す読出し部２２０と、読み出されたオーディオデータをプリセットキーの入力状態に応じた態様で再生する再生制御部２３０とを有する。
【００２３】
プリセットキー検出部２００は、６つのプリセットキー（図２を参照）のいずれかが第１の入力状態（図３（ａ）を参照）になったことを検出する。入力判別部２１０は、第１の入力状態にあるプリセットキーが第２の状態（図３（ｂ）を参照）になったか否かを検出する。読出し部２２０は、プリセットキー検出部２００で検出されたプリセットキーに割り当てられたオーディオデータを、プリセットテーブル（図４を参照）を参照して読出し、これらをデータメモリ８０に記憶する。
【００２４】
再生制御部２３０は、プリセットキーの第１の入力状態が検出されると、割り当てられたオーディオデータの先頭部分を一定時間だけ再生するスキャン再生を行う。例えば、図４に示すプリセットキー＃１の第１の入力状態が検出されると、楽曲Ａ−１の先頭部分（例えば、１０秒間）が再生され、次に、楽曲Ａ−２の先頭部分が再生され、これが最後の楽曲Ａ−ｎまで繰り返される。
【００２５】
再生制御部２３０は、プリセットキーの第２の入力状態が検出されると、スキャン再生しているオーディオデータを普通の態様で先頭から最後まで連続再生する。例えば、スキャン再生において楽曲Ａ−２の先頭部分が再生されているとき、プリセットキー＃１の第２の入力状態が検出されると、楽曲Ａ−２が最後まで連続して再生される。第２の入力状態で楽曲Ａ−２が普通の態様で再生された場合には、次に、楽曲Ａ−３が連続して再生するようにすることができる。また、再生制御部２３０は、楽曲Ａ−２を一定の回数だけ繰り返し再生するようにしてもよい。
【００２６】
次に、本実施例に係るオーディオ装置の検索動作を図６のフローチャートを参照して説明する。ユーザは、オーディオ装置に記憶されているオーディオデータを検索するとき、まず、プリセットキー２２のいずれかを選択する。この選択により、プリセットキーは第１の入力状態となるまで押下される（ステップＳ１０１）。プリセット検出部２００により第１の入力状態であるプリセットキーが検出されると、読出し部２２０は、プリセットキーに対応するオーディオデータを記憶部６０から読出し（ステップＳ１０２）、これをデータメモリ８０に格納する。
【００２７】
次に、再生制御部２３０は、入力状態判別部２１０の判別結果を参照し、プリセットキーが第２の入力状態でなければ、データメモリ８０に格納された最初のオーディオデータの先頭部分を再生する（ステップＳ１０３）。
【００２８】
再生制御部２３０は、入力状態判別部２１０の判別結果を監視し（ステップＳ１０４）、第２の入力状態でなければ、次のオーディオデータの先頭部分を再生する。もし、先頭部分の再生中に、入力状態判別部２１０によって第２の入力状態が判別されると（ステップＳ１０４）、再生制御部２３０は、当該スキャン再生しているオーディオデータを先頭部分の再生から連続再生に切替える（ステップＳ１０５）。
【００２９】
連続再生を行った場合には、次のオーディオデータは、スキャン再生を行うようにしてもよいし、連続再生を行うようにしてもよい。また、スキャン再生は、プリセットキーに割り当てられた全てのオーディオデータについて行われるが、途中で、他のプリセットキーが押下された場合には、そのスキャン再生は中止され、他のプリセットキーに対応するオーディオデータのスキャン再生が行われる。
【００３０】
図７に、プリセットキーを用いたときの検索例を示す。図７（ａ）は、プリセットキー＃１が第１の入力状態のとき、アルバムＡの楽曲Ａ−１、・・・Ａ−ｎがスキャン再生される例を示している。図７（ｂ）は、楽曲Ａ−２のスキャン再生中にプリセットキー＃１が第２の入力状態とされたとき、楽曲Ａ−２は連続再生され、その後の楽曲Ａ−ｎまでが連続再生される。連続再生を停止する場合には、プリセットキー＃１を再度第１の入力状態で押下するようにしてもよい。
【００３１】
次に、本発明の第２の実施例について説明する。第２の実施例では、単一の入力状態をもつプリセットキーを用いる。図８は、第２の実施例に係るオーディオ装置の正面ユニットの構成を示す図である。第２の実施例では、プリセットキー２２に加えて、スキャン再生または連続再生を切替えるための切替キー２６を備えている。例えば、プリセットキーの押下によりスキャン再生が開始しているとき、切替キー２６を押下すると、スキャン再生されているオーディオデータが連続再生に切り替わる。その反対に、連続再生しているとき、切替キー２６を押下すると、スキャン再生に切り替わる。
【００３２】
また、切替キー２６を利用せず、プリセットキーの選択回数からスキャン再生と連続再生とを切替えるようにしてもよい。例えば、プリセットキーの１回目の選択でスキャン再生を開始し、２回目の選択でスキャン再生から連続再生に切替てもよい。
【００３３】
以上、本発明の好ましい実施の形態について詳述したが、本発明は特定の実施形態に限定されるものではなく、特許請求の範囲に記載された本発明の要旨の範囲内において、種々の変形・変更が可能である。
【図面の簡単な説明】
【００３４】
【図１】本発明の実施例に係るオーディオ装置の構成を示すブロック図である。
【図２】図１に示すオーディオ装置の正面ユニットの構成を示す図である。
【図３】本実施例に係るプリセットキーに用いられるダブルファンクションスイッチの模式図であり、図３（ａ）は第1の入力状態を示し、図３（ｂ）は第２の入力状態を示す。
【図４】プリセットテーブルの例である。
【図５】本実施例に係るオーディオデータ検索プログラムの機能ブロック図である。
【図６】本実施例に係るオーディオ装置の検索動作を示すフローチャートである。
【図７】図７（ａ）は、プリセットキーが第1の入力状態のときの検索例、図７（ｂ）は、プリセットキーが第２の入力状態のときの検索例を示す。
【図８】本発明の第２の実施例に係るオーディオ装置の構成を示す図である。
【符号の説明】
【００３５】
１０：車載用オーディオ装置          １２：正面ユニット
１４：操作面                        ２０：入力部
２２：プリセットキー                ２４：オーディオ操作キー
２６：切替キー                      ３０：外部Ｉ／Ｆ
４０：表示部                        ５０：音声出力部
６０：記憶部                        ７０：プログラムメモリ
８０：データメモリ                  ９０：制御部
１００：ノブ                      １１０：弾性部材
１２０：フィルムスイッチ          １３０：タクトスイッチ
【図１】
2009295231.tif 000003
【図２】
2009295231.tif 000004
【図３】
2009295231.tif 000005
【図４】
2009295231.tif 000006
【図５】
2009295231.tif 000007
【図６】
2009295231.tif 000008
【図７】
2009295231.tif 000009
【図８】
2009295231.tif 000010